(57)【特許請求の範囲】
【請求項１】
両端部の内側凸部に上下方向の係止溝と上に突出した結合部とを有し、柱受け金具によって柱下端を床面から浮かして立設された柱の下方に互いに嵌合して台座を構成する一対の台座半体と、
前記柱の外面にビス等で吊り下げられて取り付けられ、前記台座半体の内側凸部の下に差し込まれる固定片を有し、一対の前記台座半体を前記柱に取り付ける一対の固定板と、
一対の透孔を有し、前記柱に嵌着された一対の前記台座半体の互いに隣接した両結合部に嵌合される一対の結合板と、
一対の前記台座半体の両結合部に嵌合された結合板の透孔から上記係止溝に挿通されて上記固定片のねじ孔に螺着され、前記固定板に前記両台座半体を固定する二対の固定ボルトとを具備したことを特徴とする化粧柱の台座装置。
【請求項２】
両端部の内側に上下方向の係止孔と下に突出した結合部とを有し、柱受け金具によって柱下端を床面から浮かして立設された柱の下方に互いに嵌合して台座を構成する一対の台座半体と、
前記柱の外面にビス等で吊り下げられて取り付けられ、互いに嵌合した一対の前記台座半体の互いに隣接した前記両結合部に嵌合される嵌合部を有し、一対の前記台座半体を前記柱に取り付ける一対の固定板と、
一対の前記台座半体の前記係止孔に挿通されて前記両結合部に嵌合された前記嵌合部のねじ孔に螺着され、前記固定板に前記両台座半体を固定する二対の固定ボルトとを具備したことを特徴とする化粧柱の台座装置。
【請求項３】
一対の当接片を有し、各当接片を一対の前記固定板の内面に当接させてビス等で前記柱の外面に取り付けられる一対の補助板を具備したことを特徴とする請求項１記載の化粧柱の台座装置。
【請求項４】
請求項１記載の化粧柱の台座装置を使用した台座の組付構造であって、
一対の前記台座半体が、前記柱の外面に取り付けられた一対の前記固定板の固定片を内側凸部の下に差し込むとともに台座を構成して前記柱の下方に取り付けられ、前記台座半体どうしの前記両結合部に嵌合された前記結合板の透孔から前記係止溝に挿通されて前記固定片のねじ孔に螺着された二対の前記固定ボルトによって前記固定板に固定されたことを特徴とする台座の組付構造。
【請求項５】
請求項２記載の化粧柱の台座装置を使用した台座の組付構造であって、
一対の前記台座半体が、前記柱の外面に取り付けられた一対の前記固定板の前記嵌合部を前記両結合部に嵌合させるとともに台座を構成して前記柱の下方に取り付けられ、前記係止孔に挿通されて前記嵌合部のねじ孔に螺着された二対の前記固定ボルトによって前記固定板に固定されたことを特徴とする台座の組付構造。
【請求項６】
請求項３記載の一対の補助板が、前記当接片を一対の前記固定板の内面に当接させて前記柱の外面に取り付けられたことを特徴とする請求項４記載の台座の組付構造。
【発明の詳細な説明】
【０００１】
【発明の属する技術分野】
本発明は、木造戸建住宅の玄関ポーチ等の化粧柱に組み付けられる台座装置及び台座の組付構造に関するものである。
【０００２】
【従来の技術】
化粧柱に装着されてその根本部を装飾する台座として、従来、半割り状の一対の台座半体を柱の根本部に嵌着し、ビスを台座半体の外面から柱にねじ込んで固定するものが知られている。
【０００３】
【発明が解決しようとする課題】
上記従来の台座には次のような問題点がある。
（ａ）  そのままではビスの頭が台座の外面に露出して外観を損なうため、パテ埋め処理する必要があり、手間がかかる。
（ｂ）  パテ埋めしてもその処理跡がわかり見栄えが悪い。特に塗装済みの製品はパテ埋め個所を塗装しなければならずとても目立つ。
（ｃ）  一般に、化粧柱に木製の芯柱を使用した場合、柱下端の腐食防止のために、芯柱を柱受け金具で床面から浮かして支える工法が採られるが、柱受け金具で支えられた芯柱の高さが台座のビス止め個所よりも高くなると、台座を柱に取り付けることができなくなり、何等かの処置が必要になる。
【０００４】
本発明の課題は上記従来の問題点を解決することであり、ビス等が外面に露出することない化粧柱の台座装置及び台座の組付構造を提供することを目的とする。
本発明の他の目的は、柱受け金具で柱下端の高さが高くなっても支障なく柱に取り付けることができる化粧柱の台座装置及び台座の組付構造を提供することである。
【０００５】
【課題を解決するための手段】
上記の目的を達成するために、請求項１記載の発明は、両端部の内側凸部に上下方向の係止溝と上に突出した結合部とを有し、柱受け金具によって柱下端を床面から浮かして立設された柱の下方に互いに嵌合して台座を構成する一対の台座半体と、前記柱の外面にビス等で吊り下げられて取り付けられ、前記台座半体の内側凸部の下に差し込まれる固定片を有し、一対の前記台座半体を前記柱に取り付ける一対の固定板と、一対の透孔を有し、前記柱に嵌着された一対の前記台座半体の互いに隣接した両結合部に嵌合される一対の結合板と、一対の前記台座半体の両結合部に嵌合された結合板の透孔から上記係止溝に挿通されて上記固定片のねじ孔に螺着され、前記固定板に前記両台座半体を固定する二対の固定ボルトとを具備した構成とした。
【０００６】
この手段では、柱受け金具によって柱下端を床面から浮かして立設された柱の互いに対向する２つの外面に固定板を吊り下げて取り付け、その外側に一対の台座半体を、固定板の固定片を内側凸部の下に差し込んで嵌着する。次いで、互いに隣接した結合部に結合板を嵌合させ、固定ボルトを透孔から係止溝に挿通させて固定片のねじ孔に螺着する。そして最後に柱の外面に化粧材を取り付ける。
【０００７】
上記の組付状態では、固定板と固定ボルト及び結合板は台座半体と化粧材で掩蔽され、外部に露出することはない。また、柱受け金具で支えられた柱下端の高さが高くても、固定板を柱に吊り下げて取り付けることにより、柱下端の高さに関係なく台座半体を柱に取り付けることができる。
【０００８】
請求項２記載の発明は、両端部の内側に上下方向の係止孔と下に突出した結合部とを有し、柱受け金具によって柱下端を床面から浮かして立設された柱の下方に互いに嵌合して台座を構成する一対の台座半体と、前記柱の外面にビス等で吊り下げられて取り付けられ、互いに嵌合した一対の前記台座半体の互いに隣接した前記両結合部に嵌合される嵌合部を有し、一対の前記台座半体を前記柱に取り付ける一対の固定板と、一対の前記台座半体の前記係止孔に挿通されて前記両結合部に嵌合された前記嵌合部のねじ孔に螺着され、前記固定板に前記両台座半体を固定する二対の固定ボルトとを具備した構成とした。
【０００９】
この手段では、柱受け金具によって柱下端を床面から浮かして立設された柱の互いに対向する２つの外面に固定板を吊り下げて取り付け、その外側に一対の台座半体を、その結合部を固定板の嵌合部に嵌め入れて嵌着する。次に、台座半体の係止孔に固定ボルトを挿通させて嵌合部のねじ孔に螺着する。最後に柱の外面に化粧材を取り付ける。
【００１０】
この組付状態においても、固定板と固定ボルトは台座半体と化粧材で掩蔽されるこことなる。
また、固定板を柱に吊り下げて取り付けることにより、柱下端の高さに関係なく台座半体を柱に取り付けることができる。
【００１１】
請求項１記載の化粧柱の台座装置において、一対の当接片を有し、各当接片を一対の前記固定板の内面に当接させてビス等で前記柱の外面に取り付けられる一対の補助板を具備した構成とすることが好ましい（請求項３）。
この構成では、柱を支えている柱受け金具の部分に固定板の下端が下がっているような場合、補助板が固定板下部の内側への撓み変形を防ぐ。
【００１２】
請求項４記載の発明は、請求項１記載の化粧柱の台座装置を使用した台座の組付構造であり、一対の前記台座半体が、前記柱の外面に取り付けられた一対の前記固定板の固定片を内側凸部の下に差し込むとともに台座を構成して前記柱の下方に取り付けられ、前記台座半体どうしの前記両結合部に嵌合された前記結合板の透孔から前記係止溝に挿通されて前記固定片のねじ孔に螺着された二対の前記固定ボルトによって前記固定板に固定した構成とした。
【００１３】
この手段では、固定板と固定ボルト及び結合板は、台座半体と、柱に取り付けられた化粧材によって掩蔽され、外部には露出しない。このため、塗装やパテ埋め等の後処理が不要となる。
【００１４】
請求項５記載の発明は、請求項２記載の化粧柱の台座装置を使用した台座の組付構造であり、一対の前記台座半体が、前記柱の外面に取り付けられた一対の前記固定板の前記嵌合部を前記両結合部に嵌合させるとともに台座を構成して前記柱の下方に取り付けられ、前記係止孔に挿通されて前記嵌合部のねじ孔に螺着された二対の前記固定ボルトによって前記固定板に固定した構成とした。
【００１５】
この手段でも、固定板と固定ボルトは、台座半体と、柱に取り付けられた化粧材によって掩蔽されることとなる。したがって、塗装やパテ埋め等の後処理が不要である。
【００１６】
請求項５記載の台座の組付構造において、請求項３記載の一対の補助板を、前記当接片を一対の前記固定板の内面に当接させて前記柱の外面に取り付けた構成とすることが好ましい（請求項６）。
この構成では、固定板の内側への撓み変形が補助板によって防止され、台座半体の組付けが安定する。補助板は固定板等と同様に台座半体と化粧材によって掩蔽される。
【００１７】
本発明において、係止溝を孔とすることができ、係止溝の意に孔も含まれる。また、係止溝と固定ボルトの数は、最低限二対（合計４個）であって、それより多くすることができる。
【００１８】
【発明の実施の形態】
発明の実施の形態を添付図面を参照して説明する。
図１ないし図８は本発明の実施の形態を示す。符号１は本発明に係る台座装置で、一対の台座半体３と、一対の固定板４、一対の補助板５、一対の結合板６及び二対の固定ボルト７を具備している。
【００１９】
台座半体３は、柱（芯柱）１０に嵌着されて台座を構成するものであり、半割りのコ字状で、両端部３ａの内側に、係止溝３ｂと結合部３ｃとを有する内側凸部３ｄが形成されるとともに、両端部３ａの端面に嵌合凸部３ｅと嵌合凹部３ｆが形成され、また中間部３ｇの内側上面に窪み３ｈが形成されている。
【００２０】
係止溝３ｂは上下方向に形成され、結合部３ｃは上に突設され、窪み３ｈよりも少し低くされている。嵌合凸部３ｅと嵌合凹部３ｆは、相手側の台座半体３の嵌合凹部３ｆと嵌合凸部３ｅに嵌合するようになっている。端部３ａと中間部３ｇの上面は外側に向って低くなる傾斜面とされている。
【００２１】
固定板４は、一対のねじ孔４ａが形成された固定片４ｂと脚座４ｃとを有し、上部の取付孔４ｄにビス等や釘等（以下、ビス等）１１を打ち込んで柱１０の外面に取り付けられるようになっている。下端の脚座４ｃとその上の固定片４ｂとは折曲加工によって水平に形成されている。ねじ孔４ａ，４ｂの間隔は、柱１０に嵌着された台座半体３，３の互い隣接した係止溝３ｂ，３ｂの間隔に合わされている。
【００２２】
補助板５は、当接片５ａ，５ａと折曲片５ｃを有し、固定板４の内面に当接片５ａを当接させた状態で取付孔５ｂにビス等１１を打ち込んで柱１０の外面に取り付けられるようになっている。当接片５ａは側部に、また折曲片５ｃは下部に、それぞれ折曲加工よって形成されている。
【００２３】
結合板６は、一対の透孔６ａと爪６ｂとを有し、柱１０に嵌着された台座半体３，３の互いに隣接した結合部３ｃ，３ｃを両端の爪６ｂ，６ｂの間に挟み込んで結合部３ｃ，３ｃに嵌合されるようになっている。透孔６ａ，６ａの間隔はねじ孔４ａ，４ａの間隔に合わされている。
【００２４】
固定ボルト７は、結合板６の透孔６ａから係止溝３ｂに挿通されて固定板４のねじ孔４ａに螺着されるものである。
【００２５】
ところで、柱１０の外面には、Ｌ状の取付爪１３ａを有する取付金具１３がビス等１１によって固定されており、化粧材１５を横方向に動かしてＬ状の取付溝１５ａに取付爪１３ａを嵌め込むことにより、柱１０の外面に化粧材１５を取り付けて化粧柱とすることができるようにされている。取付溝１５ａは取付爪１３ａよりも柱１０の幅方向に十分大きくされている。このため、柱１０の幅寸法（太さ）ｗ（図７）にばらつきがあっても化粧材１５を柱１０の４面に密着状態で取り付けることができる。柱１０は柱受け金具１６で床面１７に垂直に立てられている。
符号１８は化粧材１５，１５どうしの隙間を塞ぐスポンジテープ等のシール材である。
【００２６】
次に、上記の構成とされた化粧柱の台座装置による台座の組付方法の一例を説明する。
まず、固定板４を柱１０の両側面に、また補助板５を柱１０の前後の面にそれぞれビス等１１によって取り付ける。この際、補助板５の両当接片５ａを固定板４，４の内面に当接させるとともに、固定板４の脚座４ｃを床面１７に当てる。
【００２７】
上記の終了後、台座半体３，３を柱１０の前後方向から近づけ、内側凸部３ｄの下に固定板４の固定片４ｂを差し入れて柱１０に嵌着する。嵌着状態では、両台座半体３，３の嵌合凸部３ｅと嵌合凹部３ｆが相互に嵌合するが、必要があれば、スポンジテープ等のシール材をそれらの間の外から見えない部分に挟み込む。
【００２８】
次いで、台座半体３，３の互いに隣接した結合部３ｃ，３ｃに結合板６を嵌合させ、その透孔６ａから固定ボルト７を係止溝３ｂに挿通させて固定板４のねじ孔４ａに螺着する。これによって、両台座半体３，３は、固定板４を介して柱１０に組み付けられることになる。
【００２９】
台座半体３，３の組付終了後、結合板６と窪み３ｈの上にコ字状の台座パッキン１９を嵌め込む。そして化粧材１５を柱１０に沿って下降させ、台座パッキン１９を圧縮した状態で取付金具１３によって柱１０の外面に取り付ける。
【００３０】
上記の組付状態においては、固定板４と補助板５と結合板６及び固定ボルト７のすべてが、台座半体３と台座パッキン１９及びその上に下降された化粧材１５によって覆い隠される。したがって、見栄えがよく、しかも塗装やパテ埋め等の後処理を全く必要とせず、能率的に施工することができる。
【００３１】
また、柱１０の下端が高くても支障なく台座を組み付けることができる上、補助板５が固定板４，４の間にあってそれらの内側（柱受け金具１６側）への撓みを防止しているので、組付けが安定するようになる。なお、補助板５は、柱受け金具１６が用いられていなかったり、或いは柱受け金具１６の高さが低くて固定板４が内側に撓むおそれがないような場合にはこれを省くことができる。
【００３２】
係止溝３ｂの深さｄ（図３）を大きくすれば、その分太さｗの異なる柱１０に対する台座半体３，３の組付けが可能になることも長所と言える。
【００３３】
図９ないし図１２は本発明の他の実施の形態を示す。この化粧柱の台座装置２１は、一対の台座半体２３と、一対の固定板２４及び二対の固定ボルト７を具備している。
【００３４】
台座半体２３は、半割りのコ字状で、両端部３ａの内側に、結合部２３ｃが下に突出して設けられ、その部分に係止孔２３ｂが上下に貫通して形成されている。
【００３５】
固定板２４は、一対のねじ孔２４ａが設けられた嵌合部２４ｅを持ち、上部の取付孔２４ｄにビス等１１を打ち込んで柱１０の外面に取り付けられるようになっている。嵌合部２４ｅは、柱１０に嵌着された台座半体２３，２３の互いに隣接したテーパ状の結合部２３ｃ，２３ｃにきっちりと嵌合する大きさ及び形状に折曲加工で形成されている。またねじ孔２４ａは、結合部２３ｃ，２３ｃに嵌合された嵌合部２４ｅの、係止孔２３ｂに一致する位置に形成されている。
【００３６】
なお、図のねじ孔２４ａは嵌合部２４ｅに溶接されたナットとなっているが、嵌合部２４に直接形成してもよい。ナットは、場合によっては嵌合部２４ｅに溶接しないこともあり得る。取付孔２４ｄは、図１１の２点鎖線のように、一方を縦長に、他方を横長に形成しておくと、固定板２４の上下及び左右の取付位置の微調節が容易になる。この点は、固定板４や補助板５の取付孔４ｄ，５ｂについても言える。
【００３７】
上記の構成とされた台座装置２１による台座の組付方法の一例を説明すると、まず、固定板２４を柱１０の左右の外面に取り付ける。この際、柱１０の幅方向の中心に固定板２４の中心を一致させるとともに、嵌合部２４ｅの高さを台座半体２３の高さに正しく一致させる。
【００３８】
次に、台座半体２３を僅かに持ち上げて柱１０に嵌着させ、そのまま床面に下ろしていて固定板２４の嵌合部２４ｅに結合部２３ｃを嵌め入れる。
そして、固定ボルト７を係止孔２３ｂに挿通させ固定板２４のねじ孔２４ａに螺着して台座半体２３，２３の組付けを終了する。その後、柱１０に化粧材を取り付けて化粧柱とすることは図１〜図８の場合と同じである。
【００３９】
この組付構造においても、固定板２４と固定ボルト７は、台座半体２３と、柱１０に取り付けられた化粧材によって覆い隠されるので、図１〜図８の台座装置及び組付構造に準じた効果が得られる。
【００４０】
図の固定板４，２４と、補助板５、結合板６はステンレス鋼製、柱１０は１０５ｍｍ角又は１２０ｍｍ角の集成材とされているが、これに限られるものではなく、他の材質或いは寸法とすることもできる。係止溝３ｂを孔に、また係止孔２３ｂを係止溝３ｂのように内側に開口した溝とすることができる。
台座装置１，２１の組付手順は、前記に限られるものではなく、例えば、固定板４，２４を柱１０に固定す前に台座半体３，２３に固定板４，２４を仮付けするなどのことも必要に応じて行われる。
【００４１】
【発明の効果】
以上説明したように、請求項１，２，４又は５記載の発明によれば、固定板や固定ボルト等の取付金具が外部に露出することがなく、したがってパテ埋めや塗装等の後処理が不要で能率よく施工でき、しかも見栄えの良い化粧柱の台座装置及び台座の組付構造を得ることができる。また、柱の高さに関係なく台座を組み付けることができる長所もある。
【００４２】
また、請求項３又は６記載の発明によれば、柱が柱受け金具で高く支えられているような場合があっても、固定板の内側への撓み変形が防止されて、組付けの安定性と信頼性が向上する効果がある。
【図面の簡単な説明】
【図１】  本発明の実施の形態を示すもので、台座半体の組付途中の状態を示す外観図である。
【図２】  図１の固定板と補助板等の外観図である。
【図３】  柱に対する台座半体の嵌着状態を示す平面図である。
【図４】  柱と固定板及び台座半体等の関係を示す図である。
【図５】  台座半体と結合板及び固定ボルト等の関係を示す断面図である。
【図６】  台座半体の組付完了状態を示す外観図である。
【図７】  柱に対する化粧材の取付状態を示す平面図である。
【図８】  台座半体と化粧材等の関係を示す外観図である。
【図９】  本発明の他の実施の形態を示す外観図である。
【図１０】  図９の台座半体の外観図である。
【図１１】  図９の固定板の外観図である。
【図１２】  柱と固定板及び台座半体等の関係を示す断面図である。
【符号の説明】
１，２１  化粧柱の台座装置        ３，２３  台座半体
３ａ，２３ａ  端部                ３ｂ  係止溝
３ｃ，２３ｃ  結合部              ４，２４  固定板
４ａ，２４ａ  ねじ孔              ４ｂ  固定片
４ｄ，２４ｄ  取付孔              ５  補助板
５ａ  当接片                      ５ｂ  取付孔
５ｃ  折曲片                      ６  結合板
６ａ  透孔                        ６ｂ  爪
７  固定ボルト                    １０  柱
１１  ビス等                      １６  柱受け金具
１７  床面                        ２３ｂ  係止孔
２４ｅ  嵌合部
【図１】
0003784613.tif 000002
【図２】
0003784613.tif 000003
【図３】
0003784613.tif 000004
【図４】
0003784613.tif 000005
【図５】
0003784613.tif 000006
【図６】
0003784613.tif 000007
【図７】
0003784613.tif 000008
【図８】
0003784613.tif 000009
【図９】
0003784613.tif 000010
【図１０】
0003784613.tif 000011
【図１１】
0003784613.tif 000012
【図１２】
0003784613.tif 000013